(57)【要約】【課題】靴紐の結び部を外部と遮断する事により、靴紐の解け難い靴を提供する。【解決手段】靴紐１０を締め上げ、結んでできた結び部を、ベロ３の先端に設けられた収納室５の中に押し込む。更に、カバー８で入り口を塞いで結び部が飛び出さないように固定する。【選択図】図２
2012223549.tif 000002
【特許請求の範囲】
【請求項１】
足の甲を包むアッパーと、前記アッパーの開口部分を覆うベロと、前記アッパーの開口部の左右両側に複数配置された小孔と、前記小孔に挿通して前記アッパーを足の甲に装着させる靴紐を備える靴において、前記ベロは、前記小孔のうち足首に最も近い小孔側のベロ表側に入り口を持つ、足首側に向かって設けられた袋状の収納室を備え、前記靴紐の結び部を前記収納室に収納できる事を特徴とする靴。
【請求項２】
請求項１において、前記収納室の入り口に自由に開閉ができて、さらに、面ファスナーにより固定ができるカバー部を備えている事を特徴とする靴。
【発明の詳細な説明】
【技術分野】
【０００１】この発明は、靴紐の解けにくい靴の形状に関するもの、特に、ランニングに適したスポーツシューズに関するものである。
【背景技術】
【０００２】特に、ランニングに代表されるスポーツ用の靴は、足に装着するのに、通気性・軽量性・フィット感に優れた靴紐により締め上げるタイプの靴が多く用いられている。従来、靴紐で締めるタイプの靴は、蝶結びにした場合にできる輪の部分、及び紐の先端部分（以後、輪の部分と紐の先端部分を結び部と呼ぶ）が外部に露出しているので、走行時の振動により結び部が揺すられ、次第に結びが緩くなって解ける事がある、また、近年ブームの野山を駆けるトレールランでは、よく小枝や雑草に結び部を引っ掛けて解ける事がある。【０００３】特に、マラソンにおいて、走行中に解けた靴紐を結び直したりすると、タイムロスにつながり好記録は望めない。また、解けた靴紐を踏まれて自身が転倒する事も考えられ、さらには、後続を巻き込む将棋倒しの重大事故が発生する危険性もある。
そこで、一般的にとられている対策は、蝶結びによりできた輪の部分を、さらにもう一度結んだり、締め上げた靴紐と足の甲の間に結び部を挟んで固定したりしている。【０００４】上記の対策として、ベロを袋構造とし表側又は裏側に開口部を設け、ベロ内部に結び部を収納する方法が考えられている。特許文献１と４及び５は、結び部を足の甲の位置に収納するもの、特許文献２と３は、ベロの裏側で靴紐を結んでベロ内部に収納するものである。
【先行技術文献】
【特許文献】
【０００５】
【特許文献１】実登第３１６３０９５号
【特許文献２】実登第３１３２７９４号
【特許文献３】特開２００７−３３０４６６号公報
【特許文献４】実公昭５８−４３８５１号
【特許文献５】実開平７−４３０３９号
【特許文献６】実開昭５６−１３７６０３号
【発明の概要】
【発明が解決しようとする課題】
【０００６】結び部を足の甲の位置にあたるベロ内部に収納室を設けると、ベロと締めた靴紐、及び足の甲が密着しているので結び部を収納室に押し込み難く、また、結び部を収納する事により締め上げ加減が変わる。（例えば、特許文献１）【０００７】収納部を、足の甲の位置に設けると、その部分の通気性が失われ、さらに、自由な運動の妨げになる。（例えば、特許文献１と４）【０００８】締め込んだ靴紐の先端を、ベロに設けられた紐穴からベロの裏側に導き、ベロの裏側で靴紐を結び収納する方法が考案されているが、ベロの裏側では微妙な靴紐の締め加減や結ぶ作業がし難い、また、結び部をベロの裏側に収納するには、靴紐が締められた状態ではし難い。（例えば、特許文献２と３）【０００９】特に、ランニングシューズの場合、着地の激しい振動の繰り返しで、結び部が収納室から飛び出す。【００１０】本発明の目的は、以上のような問題を鑑みて講じるもので、ベロ内部に結び部を収納する事により、結び部の振動、及び外部との接触を防ぎ靴紐の解け難くい靴を提供するものである。
【課題を解決するための手段】
【００１１】前記目的を達成するために、本考案の靴は、足の甲を包むアッパーと、前記アッパーの開口部分を覆うベロと、前記アッパーの開口部の左右両側に複数配置され小孔と、前記小孔に挿通して前記アッパーを足の甲に装着させる靴紐を備える靴において、前記ベロは、前記小孔のうち足首に最も近い左右両側の小孔を結ぶラインより少し足首側に入り口を持つ、足首側に向かって設けられた袋状の収納室に結び部を押し込んで、前記入り口を覆い結び部の飛び出しを防止するカバーを有することを特徴とする。
【発明の効果】
【００１２】本発明によれば、結び部を外部と遮断するので、結び部の振動、及び、外部との接触を防ぎ靴紐が解け難くする効果がある。また、足首部分に結び部の収納室を有するので通気性を妨げない、また、収納室入り口にカバーを設ける事で結び部が飛び出すのを防ぐのと、カバーによりベロが左右にずれ難くなる。
【図面の簡単な説明】
【００１３】
【図１】靴紐を通してない状態の、本発明の靴を示す斜視図である。
【図２】本発明の実施形態を示す斜視図である
【図３】靴紐を通してない、カバーが開いた状態のベロ部の破断斜視図である。
【図４】ベロ部の断面図である。
【図５】本発明の実施形態を示すベロ部を上から見た破断説明図である。
【図６】靴紐を通してない、カバーが開いた状態のベロ部を上から見た破断説明図である。
【発明を実施するための形態】
【００１４】以下、本発明の好適な実施形態を添付図面に基づいて説明する。図１は、本発明に係る靴１を上から見た斜視図である。靴１は、靴の底部にあたるソール部分９と、足を包むアッパー２と、足の甲のあたる開口部を覆うベロ３で構成されている。また、前記開口部の左右両側には、爪先側から足首側に向かって靴紐を挿通する複数の小孔４を配置する羽根部７が設けられている。
【００１５】図３はベロ３の説明図、図４はベロ３の断面図である。
ベロ３は、アッパーの開口部を覆うベロ下片１２と、収納室を形成するためのベロ上片１３からなり、入り口１１を残して、ベロ下片１２とベロ上片１３は周囲を縫合して袋状の収納室５を形成している。ベロ下片１２には、収納した結び部が外部に飛び出さないようにカバー６が縫合されており、カバー６の裏面とベロ上片１３の表面にそれぞれ取り付けられた面ファスナー８により入り口１１を塞ぎ固定する事ができる。尚、カバー６の先端部分にツマミを設けると面ファスナーの開閉がし易い、また、ベロのズレを防止するための紐通し１４をカバー６と一体化すると良い。
【００１６】図６は、入り口１１、カバー６、ベロ上片１３の説明図である。
ベロ３の全体長についてであるが、入り口１１の位置が、左右の小孔４ａを結ぶラインより少し上側に、また、カバー６の縫合部分が、左右の小孔４ａを結ぶラインより少し下側の位置になるように、ベロ３の先端をアッパー２の爪先側開口部に接合すると結び部を収納し易い位置関係になる。また、ベロ上片１３の形状は、左右両端を爪先側に伸ばすと（点線部分）、羽根部７に押さえられるので結び部が飛び出すのを防ぐ効果がある。
【００１７】図２と図５で、靴１の装着方法を説明する。
爪先に一番近い小孔４から足首方向に向かって、靴紐を順番に足首に一番近い小孔４ａまで通し締め上げる。カバー６が爪先方向に開いた状態で、締め上げた靴紐を蝶結びにすると自然と入り口１１の部分に結び部ができる。次に、結び部を入り口１１から収納室５に押し込む。その時、結び部を折り畳む（図５点線部分）と押し込み易い。最後に、カバー６の面ファスナー８とベロ上片１３の面ファスナー８を接着させて装着が完了する。
【００１８】カバー６を閉じた状態で靴紐を結ぶと、従来どおり結び部が外部に露出した状態で履ける。普段履きの時は従来の履き方で、ランニングに使用する時は、本発明の履き方にと、使用者の好みで使い分ける事ができる。
【実施例】
【００１９】本発明は、特に、靴紐で装着するタイプのランニングシューズに好適である。靴紐タイプの靴は、通気性が良く、軽量であり、閉め加減の調節が自由で確実に装着できる点で優れており、現在、多くのランナーが使用している。本発明は、従来のランニングシューズの長所を保持したまま、機能を高めている。
【符号の説明】
【００２０】１  靴
２  アッパー
３  ベロ
４、４ａ  小孔
５  収納室
６  カバー
７  羽根部
８  面ファスナー
９  ソール
１０  靴紐
１１  入り口
１２  ベロ下片
１３  ベロ上片
１４  紐通し
【図１】
2012223549.tif 000003
【図２】
2012223549.tif 000004
【図３】
2012223549.tif 000005
【図４】
2012223549.tif 000006
【図５】
2012223549.tif 000007
【図６】
2012223549.tif 000008